(57)【要約】【課題】  プリンタが持っているＰｏｓｔＳｃｒｉｐｔの能力を超えたにレベルのＰｏｓｔＳｃｒｉｐｔを与えると、対応できない処理箇所が発生し、不正を含んだ印刷の出力結果となってしまう場合がある。【解決手段】  ＰＳパススルー印刷を行う際にはその直前に、ＰｏｓｔＳｃｒｉｐｔデータの転送元の印刷処理部において、転送先プリンタのＰｏｓｔＳｃｒｉｐｔレベルを取得する。その後、ＰｏｓｔＳｃｒｉｐｔデータの転送元の印刷処理部で用意するＰｏｓｔＳｃｒｉｐｔデータのレベルを考慮して、ＰＳパススルー印刷に適しているかどうかを確認し、印刷可否の判断を行う。【選択図】  図１
2007272338.tif 000002
【特許請求の範囲】
【請求項１】
印刷機能を有するアプリケーションにおいて、印刷データの転送元で作成したＰｏｓｔＳｃｒｉｐｔデータが、転送先のＰｏｓｔＳｃｒｉｐｔ対応プリンタにおいて、満足に取り扱えるかどうかを印刷前に動的に判断する仕組みを有する印刷制御システム。
【請求項２】
請求項１に記載の印刷制御システムにおいて、印刷前の動的判断によりＰｏｓｔＳｃｒｉｐｔ印刷が不適合だとわかった場合、ＯＳに依存する形式にて印刷処理をおこなう（ＧＤＩ印刷）か、印刷を中止するかの分岐を該システムのユーザに提供する仕組みを有する印刷制御システム。
【発明の詳細な説明】
【技術分野】
【０００１】
本発明は、印刷ジョブに対する印刷設定方法および装置および媒体に関するもので、特に、アプリケーションにより生成される文書データの印刷設定を考慮したプレビューを表示させるよう制御する情報処理装置および情報処理方法およびプログラムが格納された記憶媒体およびコンピュータ読み取り可能なプログラムに関するものである。
【０００２】
例えば文書処理プログラムや画像編集プログラム等、様々なプログラムによって生成される出力データをひとつの文書としてまとめ、その文書に対する編集機能を提供する文書処理方法及びそのシステムに関し、パーソナルコンピュータ等の情報処理とプリンタから成るシステムにおける文書処理方法及びそのシステムに関するものである。
【０００３】
その中でも、特に情報処理部からプリンタへ印刷命令を出力する直前時の、印刷用データのプリンタ側への転送の処理方法に関するものである。
【背景技術】
【０００４】
文字、表、画像といった、扱いたいデータの種類が異なれば、データを定義する構造やそれらデータに対する編集操作が異なるために、データの種類に応じた様々なアプリケーションプログラムが提供されている。利用者は、文字を編集するためには文字処理プログラム、表を編集するためには表計算プログラム、画像を編集するためには画像編集プログラムといった具合に、データの種類別にアプリケーションを使い分けている。
【０００５】
このように、利用者はデータの種類ごとにアプリケーションプログラムを使い分けるのが一般的である。しかし、利用者が作成しようとする文書としては、例えば文字のみや、表のみ、画像のみといった１種類のデータのみから構成される文書よりも、文字と表、文字と画像など、複数種類のデータから構成される文書の方が一般的である。そこで複数種類のデータを含む目的文書を作成するために、利用者は各種アプリケーションが備えている印刷機能を利用してアプリケーションごとにデータを印刷させ、印刷物を所望の順序に組み合わせる必要があった。このことは、利用者に多大な労力が必要とされるということであり、生産性の低下をもたらす。
【０００６】
上記問題点を鑑みて、いわゆるオフィススイートと呼ばれる、各種アプリケーションで生成されたデータ(以下、アプリケーションファイル)からひとつの製本アプリケーションファイルを生成する製本アプリケーションが登場した（製本アプリケーション）。製本アプリケーションでは、各アプリケーションで生成されたデータを組み合わせ、ひとつの文書を構成する機能を提供するものである。この製本アプリケーションを使用する場合、利用者は各アプリケーションファイルを製本アプリケーションに含まれる変換アプリケーションによってひとつの目的文書(製本アプリケーションファイル)にまとめることができる。また、上記製本アプリケーションは、編集アプリケーションを含んでおり、製本アプリケーションファイル含のページの入れ替え、削除といった編集操作が可能である。
【０００７】
一般的な印刷を行う場合においてであるが、作成された文書データや画像データなどのアプリケーションデータを印刷する際は、オペレーティングシステム（ＯＳ）によって提供される所定のインタフェース（一般に、ＧＤＩと呼ばれる）を利用している。作成したデータを印刷するために、上述のインタフェースを提供するＯＳの出力モジュールに対して、あらかじめ定められる、ＯＳに依存する形式の出力コマンド（ＧＤＩ関数と呼ばれる）を送信している。一方、出力コマンドを受けた出力モジュールは、その出力コマンドをプリンタ等の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。
【０００８】
また、ＧＤＩに依存しない印刷方法として、ＰｏｓｔＳｃｒｉｐｔ（ＰｏｓｔＳｃｒｉｐｔはアドビ社の商標登録です）（ポストスクリプト）といった、Ａｄｏｂｅ（Ａｄｏｂｅはアドビ社の商標登録です）社が開発したページ記述言語があり、ＤＴＰ環境の中で基準となっている。これは出力装置の特性に依存しないデータ記述が可能（デバイスインディペンデント）で、ＰｏｓｔＳｃｒｉｐｔ（ＰｏｓｔＳｃｒｉｐｔはアドビ社の商標登録です）対応の出力機であれば、何れに対しても同じデータを転送でき、出力機サイドのインタプリタが指定の解像度に応じて処理をするといった印刷システムがある。ＰｏｓｔＳｃｒｉｐｔ（ＰｏｓｔＳｃｒｉｐｔはアドビ社の商標登録です）印刷のメリットとしては、ＯＳに依存する方法では必須となるＧＤＩの処理を経由することが無いので、ＧＤＩの形式の色空間（ＧＤＩの色空間はＲＧＢ）や、ＧＤＩの形式の描画命令に一旦変換する必要が無く、色精度やパフォーマンスが向上することが期待される。
従来例としては、例えば特許文献１をあげることが出来る。
【特許文献１】特開平１０−２０２９８３号公報
【発明の開示】
【発明が解決しようとする課題】
【０００９】
ＰｏｓｔＳｃｒｉｐｔ（ＰｏｓｔＳｃｒｉｐｔはアドビ社の商標登録です）には、そのページ記述言語にレベルがあり（大まかにＰｏｓｔＳｃｒｉｐｔ（ＰｏｓｔＳｃｒｉｐｔはアドビ社の商標登録です）  Ｌｅｖｅｌ１〜ＰｏｓｔＳｃｒｉｐｔ（ＰｏｓｔＳｃｒｉｐｔはアドビ社の商標登録です） Ｌｅｖｅｌ３）、ＰｏｓｔＳｃｒｉｐｔ（ＰｏｓｔＳｃｒｉｐｔはアドビ社の商標登録です）に対応するプリンタは、いずれかのレベルに準拠したＰｏｓｔＳｃｒｉｐｔ（ＰｏｓｔＳｃｒｉｐｔはアドビ社の商標登録です）処理を持っている。よって、プリンタが持っているＰｏｓｔＳｃｒｉｐｔ（ＰｏｓｔＳｃｒｉｐｔはアドビ社の商標登録です）の能力を超えたにレベルのＰｏｓｔＳｃｒｉｐｔ（ＰｏｓｔＳｃｒｉｐｔはアドビ社の商標登録です）を与えると、対応できない処理箇所が発生し、不正を含んだ印刷の出力結果となってしまう場合がある。よって、ＰｏｓｔＳｃｒｉｐｔ（ＰｏｓｔＳｃｒｉｐｔはアドビ社の商標登録です）プリンタへのＰｏｓｔＳｃｒｉｐｔ（ＰｏｓｔＳｃｒｉｐｔはアドビ社の商標登録です）データの転送による印刷を行う場合は（ＰＳパススルー印刷）、ＰｏｓｔＳｃｒｉｐｔ（ＰｏｓｔＳｃｒｉｐｔはアドビ社の商標登録です）データの転送元のアプリケーション等に搭載される印刷処理部が、転送元ＰｏｓｔＳｃｒｉｐｔ（ＰｏｓｔＳｃｒｉｐｔはアドビ社の商標登録です）データのレベルと、転送先のプリンタの能力に応じて、パススルー印刷に適しているかどうかを判断する必要があった。
【００１０】
例えば、転送元となるアプリケーションがＡｄｏｂｅ（Ａｄｏｂｅはアドビ社の商標登録です）  Ａｃｒｏｂａｔ（Ａｃｒｏｂａｔはアドビ社の商標登録です）シリーズの場合、Ａｃｒｏｂａｔ（Ａｃｒｏｂａｔはアドビ社の商標登録です）側で作成したＰｏｓｔＳｃｒｉｐｔ（ＰｏｓｔＳｃｒｉｐｔはアドビ社の商標登録です）データ（ＰｏｓｔＳｃｒｉｐｔ（ＰｏｓｔＳｃｒｉｐｔはアドビ社の商標登録です）レベルは設定ダイアログにおいてユーザが手動で決定する）を、Ａｃｒｏｂａｔ（Ａｃｒｏｂａｔはアドビ社の商標登録です）は転送先プリンタのＰｏｓｔＳｃｒｉｐｔ（ＰｏｓｔＳｃｒｉｐｔはアドビ社の商標登録です）レベルを考慮せずに、設定ダイアログにて選ばれたレベルでもって作成されたＰｏｓｔＳｃｒｉｐｔ（ＰｏｓｔＳｃｒｉｐｔはアドビ社の商標登録です）をそのまま転送している。ＰｏｓｔＳｃｒｉｐｔ（ＰｏｓｔＳｃｒｉｐｔはアドビ社の商標登録です）レベルに応じて転送元で印刷手段を動的に対応するといったことは行っていない。
【課題を解決するための手段】
【００１１】
ＰＳパススルー印刷を行う際にはその直前に、ＰｏｓｔＳｃｒｉｐｔ（ＰｏｓｔＳｃｒｉｐｔはアドビ社の商標登録です）データの転送元の印刷処理部において、転送先プリンタのＰｏｓｔＳｃｒｉｐｔ（ＰｏｓｔＳｃｒｉｐｔはアドビ社の商標登録です）レベルを取得する。その後、ＰｏｓｔＳｃｒｉｐｔ（ＰｏｓｔＳｃｒｉｐｔはアドビ社の商標登録です）データの転送元の印刷処理部で用意するＰｏｓｔＳｃｒｉｐｔ（ＰｏｓｔＳｃｒｉｐｔはアドビ社の商標登録です）データのレベルを考慮して、ＰＳパススルー印刷に適しているかどうかを判断する。転送元のＰｏｓｔＳｃｒｉｐｔ（ＰｏｓｔＳｃｒｉｐｔはアドビ社の商標登録です）データのＰｏｓｔＳｃｒｉｐｔ（ＰｏｓｔＳｃｒｉｐｔはアドビ社の商標登録です）レベルに対し、転送先プリンタのＰｏｓｔＳｃｒｉｐｔ（ＰｏｓｔＳｃｒｉｐｔはアドビ社の商標登録です）レベルがその許容範囲であった場合はＰＳパススルー印刷を行う。転送元のＰｏｓｔＳｃｒｉｐｔ（ＰｏｓｔＳｃｒｉｐｔはアドビ社の商標登録です）データのＰｏｓｔＳｃｒｉｐｔ（ＰｏｓｔＳｃｒｉｐｔはアドビ社の商標登録です）レベルに対し、転送先プリンタのＰｏｓｔＳｃｒｉｐｔ（ＰｏｓｔＳｃｒｉｐｔはアドビ社の商標登録です）レベルが下回る場合や、そもそも転送先プリンタがＰｏｓｔＳｃｒｉｐｔ（ＰｏｓｔＳｃｒｉｐｔはアドビ社の商標登録です）印刷に対応していない場合は、ＯＳに依存する形式にて印刷処理をおこなう（ＧＤＩ印刷）。
【発明の効果】
【００１２】
転送元で作成したＰｏｓｔＳｃｒｉｐｔ（ＰｏｓｔＳｃｒｉｐｔはアドビ社の商標登録です）データが、転送先のプリンタで満足に取り扱えるかどうかを印刷前に動的に判断できることで、不正を含んだ印刷の出力結果になってしまうケースを事前に防ぐことができる。
【発明を実施するための最良の形態】
【００１３】
以下、図面を参照しながら本発明に係る実施の形態を詳細に説明する。
【００１４】
＜システム概要＞
まず、本発明に係る文書処理システムの概要について、図１乃至図１２、図１６を参照して以下に説明する。尚、この文書処理システムは、一般のアプリケーションによって作成されたデータファイルを電子原稿ファイルに変換する電子原稿ライタと、その電子原稿ファイルを編集する機能を提供する製本アプリケーションとを含み、作成されたデータを一まとめにした文書の作成及び編集を可能とし、その操作性を向上させて文書編集を効率的に行えるものである。
【００１５】
＜システム構成及び動作＞
図１は、本実施形態の文書処理システムのソフトウェア構成を示す図である。文書処理システムは、本発明の情報処理装置に好適な実施形態であるデジタルコンピュータ１０１（以下、ホストコンピュータとも呼ぶ）によって実現されている。図１に示す一般アプリケーション１０１は、ワードプロセシングやスプレッドシート、フォトレタッチ、ドロー、あるいはペイント、プレゼンテーション、テキスト編集などの機能を提供するアプリケーションプログラムであり、ＯＳに対する印刷機能を有している。これらのアプリケーションは、作成された文書データや画像データなどのアプリケーションデータを印刷する際に、オペレーティングシステム（ＯＳ）によって提供される所定のインタフェース（一般に、ＧＤＩと呼ばれる）を利用する。ＯＳとしてマイクロソフト社のウインドウズ（ウインドウズは商標登録です）を利用する場合には、前述した出力モジュールとしてはＧＤＩ（Graphic Device Interface）と呼ばれるモジュールが相当する。
【００１６】
電子原稿ライタ１０２は、上述のデバイスドライバを改良したものであり、本文書処理システム実現のために提供されるソフトウェアモジュールである。但し、電子原稿ライタ１０２は特定の出力デバイスを目的としておらず、詳細は後述する製本アプリケーション１０４やプリンタドライバ１０６により処理可能な形式に出力コマンドを変換する。この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００１７】
一般アプリケーション１０１から電子原稿ライタ１０２を利用させる場合には、出力に使用するデバイスドライバとして電子原稿ライタ１０２を指定してから印刷を実行させる。但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。そして、製本アプリケーション１０４は電子原稿ライタ１０２が生成した新規の不完全な電子原稿ファイルを後述する形式を備えた電子原稿ファイルとして完成させる。以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイルまたは、製本アプリケーションファイル」と呼ぶ。また、特に区別する必要がない場合は、アプリケーションにより生成されるドキュメントファイル、電子原稿ファイル、及びブックファイルをいずれも文書ファイル（または文書データ）と呼ぶ。
【００１８】
このようにデバイスドライバとして電子原稿ライタ１０２を指定し、一般アプリケーション１０１によりデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される。尚、ハードディスクは、本実施形態の文書処理システムを実現するコンピュータが備えているローカルドライブであっても良く、ネットワークに接続されている場合にはネットワーク上に提供されるドライブであっても良い。
【００１９】
製本アプリケーション１０４は電子原稿ファイル（あるいはブックファイル）１０３を読み込み、それを編集するための機能を利用者に提供する。但し、製本アプリケーション１０４は、各ページの内容を編集する機能は提供しておらず、ページを最小単位として構成される、後述する章やブックの構造を編集するための機能を提供している。
【００２０】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が印刷される。
【００２１】
図２は、コンピュータ１００のハードウェアブロック図である。図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウェア構成や、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００２２】
＜電子原稿データの形式＞
編集アプリケーション１０４の詳細を言及する前に、ブックファイルのデータ形式について説明する。ブックファイルは紙媒体の書物を模倣した３層の層構造を有する。まず、上位層は「ブック」と呼ばれ、１冊の本を模倣しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。尚、各ページについてもページ毎の属性が定義できる。更に、一つのブックは複数の章を含んでいてよく、また一つの章は複数のページを含むこともできる。
【００２３】
図３に示す（Ａ）は、ブックファイルの形式の一例を模式的に示す図である。図示するように、この例では、ブックファイルにおけるブック，章，ページは、それぞれに相当するノードにより示されている。一つのブックファイルは一つのブックを含む。ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿ページデータ）と各原稿ページデータへのリンクを含む。
【００２４】
尚、紙媒体等に出力する際の印刷ページは複数の原稿ページを含む場合がある。この構造に関してはリンクによって表示されず、ブック、章、ページ各階層における属性として表示される。
【００２５】
図３において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図３に示す（Ｂ）のように原稿ページデータ３０４のデータ（１），（２）を指し示し、ページ３０３Ａ、３０３Ｂの実体が原稿ページデータ（１）、（２）であることを表示している。
【００２６】
図４は、ブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。
【００２７】
図５は章属性の、図６はページ属性のリストである。章属性とページ属性との関係もブック属性と下位層の属性との関係と同様である。
【００２８】
図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００２９】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３０】
合紙属性は、章の区切りとして、インサータから、あるいは給紙カセットから供給される用紙の挿入の指定、及び合紙を挿入する場合には、給紙元の指定などを含む。
【００３１】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３２】
章属性に関しては、章に固有の項目はなく、全てブック属性と重複する。従って、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００３３】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００３４】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００３５】
＜ブックファイルの生成手順＞
ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００３６】
図７は、製本アプリケーション１０４によりブックファイルを開く際の手順である。まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのユーザインタフェース（ＵＩ）画面を表示する（ステップＳ７０３）。図１１は、新規にブックファイルが作成された際のＵＩ画面の一例である。この場合は、ブックファイルは実質的な内容を持たないため、ＵＩ画面１１００には何も表示されない。
【００３７】
一方、既存のブックファイルがあれば、指定されたブックファイルを開き（ステップＳ７０３）、そのブックファイルの構造、属性、内容に従ってユーザインタフェース（ＵＩ）画面を表示する。図１０は、既存のブックファイルから指定されたブックファイルを表示するＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが図３に示す（Ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００３８】
さて、開かれたブックファイルには、電子原稿ライタ１０２によって電子原稿ファイルに変換されたアプリケーションデータを、新たな章として追加することができる。この機能を電子原稿インポート機能と呼ぶ。図７に示す手順によって新規に作成されたブックファイルに電子原稿インポートすることで、そのブックファイルには実体が与えられる。この機能は、図１０の画面にアプリケーションデータをドラッグアンドドロップ操作することで起動される。
【００３９】
図８に電子原稿インポートの手順を示す。まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズ（ウインドウズは商標登録です）ＯＳの下であれば、アプリケーションデータのファイル拡張子に基づいて行われる。例えば、拡張子が「ｂｍｐ」であればウインドウズ（ウインドウズは商標登録です）ビットマップデータであり、「ｊｐｇ」であればｊｐｅｇ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００４０】
ここで、画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、予め用意された規定値に設定される。
【００４１】
また、ステップＳ８０２で画像データである場合には、原則として新たな章は追加されず、指定されている章に、ステップＳ８０１で生成された電子原稿ファイルに含まれる各原稿ページが追加される（ステップＳ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎｕｐ指定などがアプリケーションデータにおいて指定されていた場合には、その属性値が引き継がれる。このようにして、新規なブックファイルが作成され、あるいは、新規な章が追加される。
【００４２】
図９は、図８に示すステップＳ８０１において、電子原稿ライタ１０２により電子原稿ファイルを生成させる手順のフローチャートである。まず、新たな電子原稿ファイルを作成してそれを開く（ステップＳ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（ステップＳ９０２）。その出力先はステップＳ９０１で開いた電子原稿ファイルである。指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３の（Ｂ）に示される原稿ページデータの実体を含むファイルである。
【００４３】
＜ブックファイルの編集＞
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００４４】
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。これらの操作を行うと、図４、図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００４５】
＜ブックファイルの出力＞
以上のように作成・編集されるブックファイルは、印刷出力を最終目的とするものである。ここで、利用者が図１０に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンド、例えばウインドウズ（ウインドウズは商標登録です）のＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【００４６】
ここで、ジョブチケットは原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子やプリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００４７】
電子原稿デスプーラ１０５は、上述のジョブチケットを、出力モジュールへの出力コマンドに変換する。
【００４８】
そのほかのシステム構成＞本実施形態の文書処理システムの概要は以上のようなものである。これはスタンドアロン型のシステムであるが、これを拡張したサーバクライアントシステムでもほぼ同様の構成・手順でブックファイルを作成・編集できる。但し、ブックファイルや印刷処理はサーバによって管理される。
【００４９】
図１６は、サーバクライアント型文書処理システムの構成を示すブロック図である。クライアント文書処理システムは、スタンドアロン型システムに、クライアントモジュールであるＤＯＭＳ（Document Output Management Service：文書出力管理サービス）ドライバ１０９及びＤＯＭＳプリントサービスモジュール１１０、ＤＳ（文書サービス）クライアントモジュール１０８を加えた構成を有する。このクライアント文書処理システム１２００に文書管理サーバ１２０１、印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。
【００５０】
尚、図１６に示す例では、文書管理サーバ１２０１と印刷集中管理サーバ１２０２の両方のサーバがクライアントに接続されているが、何れか一方のみネットワーク上に存在する場合もあり得る。例えば、接続されているサーバが文書管理サーバであれば、そのクライアントモジュール１０８を含む文書管理サーバクライアントシステム１２０１ＳＣが、また印刷集中管理サーバ１２０２であれば、そのクライアントモジュールを含む印刷管理サーバクライアントシステム１２０２ＳＣが、スタンドアロン型文書管理システムに追加される。
【００５１】
文書管理サーバ１２０１は、製本アプリケーション１０４により作成・編集されたブックファイルを格納するサーバである。文書管理サーバ１２０１によってブックファイルを管理する場合、ブックファイルはクライアントＰＣのローカルＨＤに代わって、あるいはそれに加えて、文書管理サーバ１２０１のデータベース１２１１に保存される。製本アプリケーション１０４と文書管理サーバ１２０１との間のブックファイルの保存及び読み出しは、ＤＳクライアント１０８及びＤＳコア１２１２を介して行われる。
【００５２】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００５３】
＜プレビュー表示の内容＞
既に説明した通り、ブックファイルが製本アプリケーションによって開かれると、図１０に示したユーザインタフェース画面１１００が表示される。ツリー部１１０１には、開いているブック（以下、「注目ブック」と呼ぶ）の構造を示すツリーが表示される。プレビュー部には、利用者の指定に応じて、３通りの表示方法が用意されている。まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。次に、第２は印刷ビューモードである。この印刷ビューモードでは、プレビュー部１１０２には原稿ページのレイアウトが反映された形で原稿ページが表示される。そして、第３は簡易印刷ビューモードである。この簡易印刷ビューモードでは、各原稿ページの内容はプレビュー部の表示には反映されず、レイアウトのみが反映される。
【実施例１】
【００５４】
本発明における実施例１について説明する。
【００５５】
図１２はＰＳパススルー印刷を行うかどうかの設定ダイアログの例を図示したものである。ダイアログ１２０１には、チェックボックス１２０２があり、ＰＳパススルー印刷が可能な場合においてＰＳパススルー印刷を行うかどうかの設定ができる。
【００５６】
図１３はＰＳパススルー印刷の設定ダイアログ１２０１において、チェックボックス１２０２がオンの場合における、処理フローを示している。チェックボックス１２０２がオンの場合はＰＳパススルー印刷を行うことになるが、この時点で作成するＰｏｓｔＳｃｒｉｐｔ（ＰｏｓｔＳｃｒｉｐｔはアドビ社の商標登録です）データのレベルをいったん決めておく（１３０１）。その後、ＰｏｓｔＳｃｒｉｐｔ（ＰｏｓｔＳｃｒｉｐｔはアドビ社の商標登録です）データの転送先となるプリンタのハンドルを取得し（１３０２）、プリンタのＰｏｓｔＳｃｒｉｐｔ（ＰｏｓｔＳｃｒｉｐｔはアドビ社の商標登録です）に関する情報をＯＳが提供するプリンタエスケープにより取得する。この際、プリンタエスケープによるプリンタの情報が取得できない（すでにＤＥＶＭＯＤＥ設定（プリンタの拡張設定）がなされていたりする場合）、または、プリンタエスケープにより取得した情報からＰＳパススルー印刷ができないと判断された場合はＧＤＩ印刷を行う（１３０３：ＮＯ→１３０６）。プリンタエスケープにより取得した情報からＰＳパススルー印刷が可能であると判断された場合は（１３０３：ＹＥＳ）、そのプリンタが持つＰｏｓｔＳｃｒｉｐｔ（ＰｏｓｔＳｃｒｉｐｔはアドビ社の商標登録です）の対応レベルを取得する（１３０４）。ＰｏｓｔＳｃｒｉｐｔ（ＰｏｓｔＳｃｒｉｐｔはアドビ社の商標登録です）のレベル取得に関しては、プリンタエスケープにより取得できる情報にＰｏｓｔＳｃｒｉｐｔ（ＰｏｓｔＳｃｒｉｐｔはアドビ社の商標登録です）のレベルの情報が付随している状態の場合もあるが、プリンタによってはプリンタエスケープの時点でＰｏｓｔＳｃｒｉｐｔ（ＰｏｓｔＳｃｒｉｐｔはアドビ社の商標登録です）の対応レベルが取得できない場合もある。この場合はＰＰＤ（ＰｏｓｔＳｃｒｉｐｔ（ＰｏｓｔＳｃｒｉｐｔはアドビ社の商標登録です） Printer Description）ファイルを解析してプリンタのＰｏｓｔＳｃｒｉｐｔ（ＰｏｓｔＳｃｒｉｐｔはアドビ社の商標登録です）のレベルを取得する。ＰＰＤファイルとは、ＰｏｓｔＳｃｒｉｐｔ（ＰｏｓｔＳｃｒｉｐｔはアドビ社の商標登録です）プリンタ本体やそのオプション製品など機器固有の機能を定義している設定ファイルであって、ＰｏｓｔＳｃｒｉｐｔ（ＰｏｓｔＳｃｒｉｐｔはアドビ社の商標登録です）プリンタのシステムをインストールするＯＳには必ず搭載されている。ここまでの状態で、プリンタのＰｏｓｔＳｃｒｉｐｔ（ＰｏｓｔＳｃｒｉｐｔはアドビ社の商標登録です）のレベルが取得できなかった場合にはＧＤＩ印刷を行う（１３０４：ＮＯ→１３０６）。プリンタのＰｏｓｔＳｃｒｉｐｔ（ＰｏｓｔＳｃｒｉｐｔはアドビ社の商標登録です）の対応レベルが取得できた場合は（１３０４：ＹＥＳ）、ＰｏｓｔＳｃｒｉｐｔ（ＰｏｓｔＳｃｒｉｐｔはアドビ社の商標登録です）データの転送元で作成されるＰｏｓｔＳｃｒｉｐｔ（ＰｏｓｔＳｃｒｉｐｔはアドビ社の商標登録です）データのレベル（１３０１で決定済）と転送先プリンタのＰｏｓｔＳｃｒｉｐｔ（ＰｏｓｔＳｃｒｉｐｔはアドビ社の商標登録です）の対応レベルを比較する（１３０５）。転送先プリンタのＰｏｓｔＳｃｒｉｐｔ（ＰｏｓｔＳｃｒｉｐｔは���ドビ社の商標登録です）の対応レベルが、転送元で作成されるＰｏｓｔＳｃｒｉｐｔ（ＰｏｓｔＳｃｒｉｐｔはアドビ社の商標登録です）データのレベルを下回る場合は、ＧＤＩ印刷を行う（１３０５：ＮＯ→１３０６）。転送先プリンタのＰｏｓｔＳｃｒｉｐｔ（ＰｏｓｔＳｃｒｉｐｔはアドビ社の商標登録です）の対応レベルが、転送元で作成されるＰｏｓｔＳｃｒｉｐｔ（ＰｏｓｔＳｃｒｉｐｔはアドビ社の商標登録です）データのレベル以上となる場合において、ＰｏｓｔＳｃｒｉｐｔ（ＰｏｓｔＳｃｒｉｐｔはアドビ社の商標登録です）の転送元でＰｏｓｔＳｃｒｉｐｔ（ＰｏｓｔＳｃｒｉｐｔはアドビ社の商標登録です）のデータを作成し、ＰＳパススルー印刷を行う（１３０７）。
【実施例２】
【００５７】
本発明における実施例２について説明する。
【００５８】
実施例１と同様、図１４はＰＳパススルー印刷の設定ダイアログ１２０１において、チェックボックス１２０２がオンの場合における、処理フローを示している。チェックボックス１２０２がオンの場合はＰＳパススルー印刷を行うことになるが、この時点で作成するＰｏｓｔＳｃｒｉｐｔ（ＰｏｓｔＳｃｒｉｐｔはアドビ社の商標登録です）データのレベルをいったん決めておく（１４０１）。その後、ＰｏｓｔＳｃｒｉｐｔ（ＰｏｓｔＳｃｒｉｐｔはアドビ社の商標登録です）データの転送先となるプリンタのハンドルを取得し（１４０２）、プリンタのＰｏｓｔＳｃｒｉｐｔ（ＰｏｓｔＳｃｒｉｐｔはアドビ社の商標登録です）に関する情報をＯＳが提供するプリンタエスケープにより取得する。この際、プリンタエスケープによるプリンタの情報が取得できない（すでにＤＥＶＭＯＤＥ設定（プリンタの拡張設定）がなされていたりする場合）、または、プリンタエスケープにより取得した情報からＰＳパススルー印刷ができないと判断された場合は、警告ダイアログ１５０１を出力する（１４０３：ＮＯ→１４０６）。ユーザから印刷続行意思があった場合はＧＤＩ印刷を行い（１４０９）、キャンセルの場合は印刷を中止する（１４０８）。プリンタエスケープにより取得した情報からＰＳパススルー印刷が可能であると判断された場合は（１４０３：ＹＥＳ）、そのプリンタが持つＰｏｓｔＳｃｒｉｐｔ（ＰｏｓｔＳｃｒｉｐｔはアドビ社の商標登録です）の対応レベルを取得する（１４０４）。ＰｏｓｔＳｃｒｉｐｔ（ＰｏｓｔＳｃｒｉｐｔはアドビ社の商標登録です）のレベル取得に関しては、プリンタエスケープにより取得できる情報にＰｏｓｔＳｃｒｉｐｔ（ＰｏｓｔＳｃｒｉｐｔはアドビ社の商標登録です）のレベルの情報が付随している状態の場合もあるが、プリンタによってはプリンタエスケープの時点でＰｏｓｔＳｃｒｉｐｔ（ＰｏｓｔＳｃｒｉｐｔはアドビ社の商標登録です）の対応レベルが取得できない場合もある。この場合はＰＰＤ（ＰｏｓｔＳｃｒｉｐｔ（ＰｏｓｔＳｃｒｉｐｔはアドビ社の商標登録です） Printer Description）ファイルを解析してプリンタのＰｏｓｔＳｃｒｉｐｔ（ＰｏｓｔＳｃｒｉｐｔはアドビ社の商標登録です）のレベルを取得する。ＰＰＤファイルとは、ＰｏｓｔＳｃｒｉｐｔ（ＰｏｓｔＳｃｒｉｐｔはアドビ社の商標登録です）プリンタ本体やそのオプション製品など機器固有の機能を定義している設定ファイルであって、ＰｏｓｔＳｃｒｉｐｔ（ＰｏｓｔＳｃｒｉｐｔはアドビ社の商標登録です）プリンタのシステムをインストールするＯＳには必ず搭載されている。ここまでの状態で、プリンタのＰｏｓｔＳｃｒｉｐｔ（ＰｏｓｔＳｃｒｉｐｔはアドビ社の商標登録です）のレベルが取得できなかった場合には、警告ダイアログ１５０１を出力する（１４０４：ＮＯ→１４０６）。ユーザから印刷続行意思があった場合はＧＤＩ印刷を行い（１４０９）、キャンセルの場合は印刷を中止する（１４０８）。プリンタのＰｏｓｔＳｃｒｉｐｔ（ＰｏｓｔＳｃｒｉｐｔはアドビ社の商標登録です）の対応レベルが取得できた場合は（１４０４：ＹＥＳ）、ＰｏｓｔＳｃｒｉｐｔ（ＰｏｓｔＳｃｒｉｐｔはアドビ社の商標登録です）データの転送元で作成されるＰｏｓｔ���ｃｒｉｐｔ（ＰｏｓｔＳｃｒｉｐｔはアドビ社の商標登録です）データのレベル（１４０１で決定済）と転送先プリンタのＰｏｓｔＳｃｒｉｐｔ（ＰｏｓｔＳｃｒｉｐｔはアドビ社の商標登録です）の対応レベルを比較する（１４０５）。転送先プリンタのＰｏｓｔＳｃｒｉｐｔ（ＰｏｓｔＳｃｒｉｐｔはアドビ社の商標登録です）の対応レベルが、転送元で作成されるＰｏｓｔＳｃｒｉｐｔ（ＰｏｓｔＳｃｒｉｐｔはアドビ社の商標登録です）データのレベルを下回る場合は、図１５に示すように警告ダイアログ１５０１を出力する（１４０５：ＮＯ→１４０６）。ユーザから印刷続行意思があった場合はＧＤＩ印刷を行い（１４０９）、キャンセルの場合は印刷を中止する（１４０８）。転送先プリンタのＰｏｓｔＳｃｒｉｐｔ（ＰｏｓｔＳｃｒｉｐｔはアドビ社の商標登録です）の対応レベルが、転送元で作成されるＰｏｓｔＳｃｒｉｐｔ（ＰｏｓｔＳｃｒｉｐｔはアドビ社の商標登録です）データのレベル以上となる場合において、ＰｏｓｔＳｃｒｉｐｔ（ＰｏｓｔＳｃｒｉｐｔはアドビ社の商標登録です）の転送元でＰｏｓｔＳｃｒｉｐｔ（ＰｏｓｔＳｃｒｉｐｔはアドビ社の商標登録です）のデータを作成し、ＰＳパススルー印刷を行う（１４１０）。
【図面の簡単な説明】
【００５９】
【図１】本実施形態のスタンドアロン型の文書処理システムのソフトウェア構成例を示すブロック図である。
【図２】本実施形態の文書処理システムを実現するハードウェア構成例を示すブロック図である。
【図３】ブックファイルの構造の一例を示す図である。
【図４】ブック属性の一覧を示す図である。
【図５】章属性の一覧を示す図である。
【図６】ページ属性の一覧を示す図である。
【図７】ブックファイルを開く手順例を示すフローチャートである。
【図８】新規のブックファイルを開いた際のユーザインタフェース画面の一例を示す図である。
【図９】既存のブックファイルを開いた際のユーザインタフェース画面の一例を示す図である。
【図１０】電子原稿ファイルをブックファイルにインポートする手順例を示すフローチャートである。
【図１１】図１０のステップ８０１に示すアプリケーションデータを電子原稿ファイルに変換する手順例を示すフローチャートである。
【図１２】ＰＳパススルー印刷を行うかどうかの設定ダイアログ例を示す図である。
【図１３】実施例１における、ＰＳパススルー印刷を行う際の処理手順を示すフローチャートである。
【図１４】実施例２における、ＰＳパススルー印刷を行う際の処理手順を示すフローチャートである。
【図１５】ＰＳパススルー印刷を行う選択がされているが、ＰＳパススルー印刷ができない場合に出力する警告ダイアログ例を示す図である。
【図１６】サーバクライアント型文書処理システムの構成を示すブロック図である。
【図１】
2007272338.tif 000003
【図２】
2007272338.tif 000004
【図３】
2007272338.tif 000005
【図４】
2007272338.tif 000006
【図５】
2007272338.tif 000007
【図６】
2007272338.tif 000008
【図７】
2007272338.tif 000009
【図８】
2007272338.tif 000010
【図９】
2007272338.tif 000011
【図１０】
2007272338.tif 000012
【図１１】
2007272338.tif 000013
【図１２】
2007272338.tif 000014
【図１３】
2007272338.tif 000015
【図１４】
2007272338.tif 000016
【図１５】
2007272338.tif 000017
【図１６】
2007272338.tif 000018